(57)【要約】【課題】シンプルな機構で小型化を図り、断線した架線を短時間で応急復旧し、また、本復旧も容易に行えるようにした架設端末接続器具を提供する。【解決手段】この架線端部接続器具は、離間して配置された一対の導電性のクランプ部材１０と、一対のクランプ部材１０に架け渡された導電性の連結部材２０と、一対のカバー３０とを備えている。各クランプ部材１０は、架線の端部の側面を把持する把持部１１を備えている。各把持部１１と前記連結部材２０とが合体している。把持部１１は、間隔を空けて対峙した一対の挟持片１１a，１１ｂを備えている。クランプ部材１０は、一対の挟持片を接離させる締付部材１３をさらに備えている。【選択図】図２
2014207825.tif 000002
【特許請求の範囲】
【請求項１】
離間して配置された一対の導電性のクランプ部材と、該一対のクランプ部材に架け渡された導電性の連結部材とを備え、
前記各クランプ部材は、架線の端部の側面を把持する把持部を備え、
各把持部と前記連結部材とが合体していることを特徴とする架線端部接続器具。
【請求項２】
前記把持部は、一対の間隙を有するように対峙した一対の挟持片を備え、
前記クランプ部材は、該一対の挟持片を接離させる締付部材をさらに備えていることを特徴とする請求項１に記載の架線端部接続器具。
【請求項３】
前記クランプ部材は、スリットを長さ方向に形成した筒状の結合部材をさらに備え、
該結合部材のスリットによって前記一対の挟持片の一方の間隙を空けた状態として、結合部材と一対の挟持片とが合体していることを特徴とする請求項２に記載の架線端部接続器具。
【請求項４】
一対のカバー部材をさらに備え、
一方のカバー部材が前記一方のクランプ部材及び前記連結部材の一方の片側半分を覆い、他方のカバー部材が前記他方のクランプ部材及び前記連結部材の他方の片側半分を覆うことを特徴とする請求項１ないし３のいずれか一項に記載の架線端部接続器具。
【請求項５】
前記一対のクランプ部材と前記連結部材とは、同一方向を向いていることを特徴とする請求項１ないし４のいずれか一項に記載の架線端部接続器具。
【請求項６】
前記一対のクランプ部材は、同心で向き合っていることを特徴とする請求項１ないし５のいずれか一項に記載の架線端部接続器具。
【発明の詳細な説明】
【技術分野】
【０００１】
本発明は、断線した架線を応急復旧するための架線端部接続器具に関し、詳しくは、断線した架線の一方の端部と他方の端部とを把持する一対のクランプ部材などを備えた架線端部接続器具に関する。
【背景技術】
【０００２】
電柱などに架設された高圧配電線などの架線は、強風や突風などによる飛来物、あるいは倒木などによって断線することがある。断線した架線を復旧するため、断線した架線の一方の端部と他方の端部とが直線スリーブによって接続される。直線スリーブは、筒状体で、長さ方向の中心に仕切部を設けたタイプも提供されている。
【０００３】
この直線スリーブを使用して、断線した架線を復旧するには、まず、断線した一方の架線の端部の芯線を直線スリーブの一方の端部内に挿入し、断線した他方の架線の端部の芯線を直線スリーブの他方の端部内に挿入する。そして、直線スリーブの各端部を圧縮することで、切断された各端部の架線を直線スリーブによって接続する。
【０００４】
しかし、直線スリーブによって各架線の端部を接続するには、圧縮工具を使用しなければならない。一般的な圧縮工具では、直線スリーブの端部を例えば２０回以上、圧縮する作業を繰り返さなければならないことから、復旧作業に時間が掛かる。すなわち、一般的な圧縮工具は、断線した架線を一刻も早く通電させたいという要求に応えることができない。
【０００５】
また、特殊な圧縮工具として、高所作業車などに接続して使用する油圧式圧縮工具が提供されている。しかし、高所作業車は、山間部の傾斜地、あるいは、倒木や積雪などによって通行止めとされた現場に出動できない。したがって、油圧式圧縮工具では、断線した架線を復旧させることができない場合がある。
【０００６】
また、特殊な圧縮工具として、携帯型の電動圧縮工具が提供されている。この電動圧縮工具は、電池の消耗が早いため、予備のバッテリーが携行される。しかし、予備のバッテリーを携行することは、作業者にとって余計な負担となる。
【０００７】
このような不具合を解消する架設端末接続器具が提供されている（例えば、特許文献１参照）。この架設端末接続器具は、断線した架線の各端部を挟持する一対の挟持部と、この一対の挟持部に接続される導電部材及びフレームとを備えている。導電部材は、蛇腹状に折り畳まれて伸縮する。フレームは、複数のクロスリンクをピンによって連結することで伸縮自在とされ、一対の挟持部の間隔を長くしたり短くしたりする。
【０００８】
このような架設端末接続器具は、断線して垂れ下がった架線の各端部を接続する前の状態において、導電部材及びフレームを伸張し、各挟持部の間隔を長くした状態とする。そして、地面付近において、各挟持部に断線した架線の各端部を接続する。その後、フレームの伸張状態を短縮することで、導電部材を蛇腹状に折り畳むとともに、一対の挟持部の間隔を狭める。
【０００９】
一対の挟持部の間隔が狭められることで、断線した架線の各端部の間隔も狭くなり、垂れ下がっていた架線が上方に引き上げられる。このようにして、架設端末接続器具によって、断線した架線が応急復旧される。
【００１０】
なお、この架設端末接続器具は、フレームを伸張・短縮するため、一方の挟持部側に備えられた伝達歯車及びリール、他方の挟持部側に備えられた滑車、リールと滑車とに掛け回されるワイヤー、伝達歯車に架け渡されて垂下するロープ調節機構を有している。ロープが引っ張られることで、伝達歯車が回転し、ワイヤーがリールを中心に渦巻状に巻き取られ、フレームが短縮する。
【先行技術文献】
【特許文献】
【００１１】
【特許文献１】特開２０１０−２３３３０２号公報
【発明の概要】
【発明が解決しようとする課題】
【００１２】
特許文献１に記載された架設端末接続器具は、複雑な機構のフレームやロープ調節機構を備えているため、全体として大掛かりとなり、重量化することから、携行しにくく、さらに、高コストになっている。また、特許文献１に記載された架設端末接続器具は、ワイヤーを操作して、一対の挟持部の間隔を狭くする操作を必要とするため、一刻も早く復旧させたい応急処置に適していない。さらに、特許文献１に記載された架設端末接続器具は、応急復旧した後、本復旧させる段階が考慮されていないため、本復旧をスムーズに行いにくいものとなっている。
【００１３】
そこで、本発明は、シンプルな機構で小型化を図り、断線した架線を短時間で応急復旧し、また、本復旧も容易に行えるようにした架設端末接続器具を提供することを課題とする。
【課題を解決するための手段】
【００１４】
本発明に係る架線端部接続器具は、離間して配置された一対の導電性のクランプ部材と、該一対のクランプ部材に架け渡された導電性の連結部材とを備え、前記各クランプ部材は、架線の端部の側面を把持する把持部を備え、各把持部と前記連結部材とが合体していることを特徴としている。
【００１５】
この架線端部接続器具によれば、一対のクランプ部材の各把持部が破断した架線の一方の端部と他方の端部とを把持する。そして、各クランプ部材の把持部と連結部材とが合体していることにより、一方のクランプ部材の把持部に把持された一方の架線の端部と他方のクランプ部材の把持部に把持された他方の架線の端部とが即時に接続される。クランプ部材及び連結部材は、導電性を有しているため、一方の架線と他方の架線とが通電する。
【００１６】
ここで、本発明に係る架線端部接続器具の一態様として、前記把持部は、一対の間隙を有するように対峙した一対の挟持片を備え、前記クランプ部材は、該一対の挟持片を接離させる締付部材をさらに備えているようにすることができる。
【００１７】
この架線端部接続器具によれば、離間した状態の一対の把持片間に架線の端部を挿入し、その後、締付部材によって一対の把持片を近接させることで、架線の端部が一対の把持片によって強固に把持される。
【００１８】
この場合、前記クランプ部材は、スリットを長さ方向に形成した筒状の結合部材をさらに備え、該結合部材のスリットによって前記一対の挟持片の一方の間隙を空けた状態として、結合部材と一対の挟持片とが合体するようにしてもよい。
【００１９】
この架線端部接続器具によれば、クランプ部材が結合部材と一対の挟持片とを合体したものとされるが、結合部材のスリットによって一対の挟持片の一方の間隙を空けた状態として、一対の挟持片の間隔が変更可能とされている。
【００２０】
また、本発明に係る架線端部接続器具の別の態様として、一対のカバー部材をさらに備え、一方のカバー部材が前記一方のクランプ部材及び前記連結部材の一方の片側半分を覆い、他方のカバー部材が前記他方のクランプ部材及び前記連結部材の他方の片側半分を覆うようにすることができる。
【００２１】
この架線端部接続器具によれば、一対のカバー部材のそれぞれが各クランプ部材及び連結部材の片側半分を覆うことにより、クランプ部材及び連結部材が雨水にさらされないようにし、また、飛来物などから保護することができる。
【００２２】
また、本発明に係る架線端部接続器具のさらに別の態様として、前記一対のクランプ部材と前記連結部材とは、同一方向を向いているようにしてもよい。この架線端部接続器具によれば、クランプ部材の向きと連結部材の向きとが同じとされていることにより、クランプ部材に把持された、分断した架線は、同一方向に向けられて接続されるため、折癖が付かないようにすることができる。
【００２３】
また、本発明に係る架線端部接続器具のさらに別の態様として、前記一対のクランプ部材は、同心で向き合っているようにしてもよい。この架線端部接続器具によれば、後日、本復旧するに際して使用するスリーブの各端部内に断線した架線の各端部を挿入しやすくすることができる。
【発明の効果】
【００２４】
本発明によれば、シンプルな機構で小型化を図り、断線した架線を短時間で応急復旧し、また、容易に本復旧もできるようにした架線端末接続器具を提供することができる。
【図面の簡単な説明】
【００２５】
【図１】図１は、本発明に係る架線端部接続器具の一実施形態であって、（ａ）は平面図、（ｂ）は正面図である。
【図２】図２は、本発明に係る架線端部接続器具の一実施形態であって、架線を接続した状態を示す正面図である。
【図３】図３は、本発明に係る架線端部接続器具の一実施形態であって、カバーを使用した状態を示す正面図である。
【発明を実施するための形態】
【００２６】
本発明に係る架線端部接続器具の一実施形態について図１ないし図３を参照しながら説明する。この架線端部接続器具は、断線した架線１００を応急復旧で接続するために使用する。なお、切断した架線１００の各端部１１０は、絶縁被覆体１０１が剥がされ、芯線１０２が露出した状態となっている。
【００２７】
本実施形態における架線端部接続器具は、図１に示すように、離間して配置された一対の導電性のクランプ部材１０と、この一対のクランプ部材１０間に架け渡された導電性の連結部材２０とを備えている。クランプ部材１０及び連結部材２０は、導電率が高いアルミニウム製とされるが、銅製などであってもよい。
【００２８】
各クランプ部材１０は、架線１００の端部で露出している芯線１０２を側面から把持する把持部１１を備えている。把持部１１は、一対の間隙を有するように対峙した一対の挟持片１１ａ，１１ｂ（以下、「第１挟持片１１ａ」「第２挟持片１１ｂ」という。）を備えている。クランプ部材１０は、さらに、第１、第２挟持片１１ａ，１１ｂを一体的に結合する結合部材１２と、第１、第２挟持片１１ａ，１１ｂを接離させる締付部材１３とを備えている。
【００２９】
各挟持片１１ａ，１１ｂは、架線１００の芯線１０２が嵌め込まれるように樋形状をしており、各凹曲面が向き合うように配置されている。各挟持片１１ａ，１１ｂの凹曲面の内径は、全長にわたって同じとされている。しかし、各挟持片１１ａ，１１ｂの外形は、テーパ状とされている。一対のクランプ部材１０が向き合っている側の端部（以下、「内側端部」という。）が拡径され、反対側の端部（以下、「外側端部」という。）が縮径されている。
【００３０】
そして、結合部材１２は、スリット１２ａを長さ方向に形成した筒状体とされ、内面で第１挟持片１１ａと第２挟持片１１ｂを固定している。すなわち、結合部材１２と第１、第２挟持片１１a，１１ｂは、合体して一体化されている。ただし、スリット１２ａが第１挟持片１１ａと第２挟持片１１ｂの一方の間隙を空けた状態とし、第１挟持片１１ａと第２挟持片１１ｂの間隔を変更できるようにされている。
【００３１】
そして、締付部材１３は、第１挟持片１１ａの凸側外面で内端部に固定される第１添設部１３ａと、第２挟持片１１ｂの凹曲面で内端部に固定される第２添設部１３ｂと、第１添設部１３ａと第２添設部１３ｂとの間に架け渡されるボルト１３ｃとを備えている。
【００３２】
第１添設部１３ａは、第１挟持片１１ａの幅よりも長く、第１挟持片１１ａから突出した突出端部（採番せず）を有している。この突出端部の厚さ方向には、ボルト１３ｃを挿通する貫通穴が形成されている。そして、第２添設部１３ｂも、第１添設部１３ａと同様、第２挟持片１１ｂの幅よりも長く、第２挟持片１１ｂから突出した突出端部（採番せず）を有している。第２添設部１３ｂの内面であって、第２挟持片１１ｂの凹曲面と連続する部位は、凹曲面に形成されている。
【００３３】
そして、この第２挟持片１１ｂの突出端部の厚さ方向には、ボルト１３ｃを締結する雌ネジが形成されている。したがって、第１添設部１３ａの貫通穴に挿通されたボルト１３ｃを締めることで、第１挟持片１１ａの凹曲面と第２挟持片１１ｂの凹曲面との間隔が狭くなり、両凹曲面に挟まれた架線１００の芯線１０２が両挟持片１１a，１１ｂに強固に挟持された状態となる。
【００３４】
そして、離間して配置された一対のクランプ部材１０の各第２挟持片１１ｂが連結部材２０によって連結されている。連結部材２０は、円柱状又は角柱状のロッドであり、中間部２１と、この中間部２１の両側から延びた端部２２とを有している。各端部２２は、中間部２１に対してわずかに折れ曲がった傾斜姿勢とされている。
【００３５】
各第２挟持片１１ｂの外形がテーパ状とされているため、連結部材２０の各端部２２が傾斜姿勢とされることで、第１挟持片１１ａと第２挟持片１１ｂとによって形成される円筒状体の中心軸（以下、「把持部１１の中心軸」という。）と連結部材２０の中間部２１とが平行に同一方向を向く。また、一方の把持部１１の中心軸と他方の把持部１１の中心軸は、同心となる。
【００３６】
そして、この架線端部接続器具は、一対のカバー３０を備えている。カバー３０は、引留クランプを覆うカバー３０を転用する。このカバー３０は、引留クランプ用として汎用されているもので、正面視が楔形状を呈している。
【００３７】
このカバー３０の各角部には、第１、第２、第３開口部３１，３２，３３が設けられている。この架線端部接続器具に備えられるカバー３０は、第１、第２開口部３１，３２を使用し、第３開口部３３を使用しない。なお、このカバー３０は、二つ折りにされる本体部（採番せず）を備えている。すなわち、本体部が展開した状態から二つ折りに閉じられることで、カバー３０がクランプ部材１０と連結部材２０の半分を覆う。
【００３８】
ここで、この架線端部接続器具によって、断線した架線１００を応急復旧する方法について説明する。この架線端部接続器具は、一対のクランプ部材１０と、この一対のクランプ部材１０を接続する連結部材２０とを基本構成としているため、軽量化されている。したがって、作業者がこの架線端部接続器具を作業現場まで携行することは、大きな負担とならない。
【００３９】
そして、断線した架線１００は、停電状態にある。したがって、切断した架線１００の絶縁被覆体１０１が剥がされ、芯線１０２が露出した状態とされる。そして、図２に示すように、この芯線１０２が各クランプ部材１０の第１挟持片１１ａと第２挟持片１１ｂとの間に外側端部から挿入される。芯線１０２の先端部は、第１挟持片１１ａと第２挟持片１１ｂの内側端部から突出している。したがって、一方の芯線１０２の先端部と他方の芯線１０２の先端部とは、向き合っている。
【００４０】
そして、ボルト１３ｃを締めることで、第１挟持片１１ａと第２挟持片１１ｂとの間隔を狭くし、第１挟持片１１ａと第２挟持片１１ｂとが架線１００の芯線１０２を強固に挟持する。第１挟持片１１ａと第２挟持片１１ｂの対向面が曲面状とされている。したがって、第１挟持片１１ａと第２挟持片１１ｂは、架線１００の芯線１０２を面で挟持し、架線１００にクランプ部材１０から抜ける方向の力が作用しても、架線１００は、クランプ部材１０から抜けにくくなっている。
【００４１】
その後、図３に示すように、各カバー３０が各クランプ部材１０と連結部材２０の半分を覆う。カバー３０の第１開口部３１から架線１００が導出し、カバー３０の第２開口部３２から連結部材２０が導出する。第１開口部３１は、架線１００の外径と同程度の内径を有しているため、第１開口部３１と架線１００とは密着している。しかし、第２開口部３２と連結部材２０との間には、隙間が空くため、第２開口部３２と連結部材２０との間に防水テープ３４を巻き付ける。また、第３開口部３３は、使用されないため、防水テープ３４を巻き付けることによって塞がれる。
【００４２】
したがって、この架線端部接続器具は、カバー３０内に雨水が浸入しにくいものとなっている。なお、第１開口部３１と架線１００との間にも防水テープ３４を巻き付けてもよい。そして、カバー３０は、クランプ部材１０と連結部材２０とを飛来物などから保護する。
【００４３】
このようにして、断線した架線１００は、即時に応急復旧される。そして、合体したクランプ部材１０と連結部材２０は、導電性を有している。したがって、断線した架線１００は、この架線端部接続器具に接続されることで通電する。
【００４４】
そして、後日（例えば１〜２か月後）に立てられた停電の計画に基づき、すなわち、時間に余裕があるときに、断線した架線１００を改本復旧する。本復旧では、需要家に影響がないように、応急復旧した架線１００が停電した状態とされる。そして、カバー３０に巻き付けられた防水テープ３４を剥がし、カバー３０を外すことで、クランプ部材１０を露出させる。
【００４５】
そして、ボルト１３ｃを緩めることで、架線１００の芯線１０２を第１挟持片１１ａと第２挟持片１１ｂとの間から抜く。そして、一方のクランプ部材１０に保持された架線１００の芯線１０２と他方のクランプ部材１０に保持された架線１００の芯線１０２とを直線スリーブ（図示せず）内に挿入する。一対のクランプ部材１０に保持された架線１００の芯線１０２が同心で向き合い、また、連結部材２０の向きがクランプ部材１０の向きと平行にされているため、架線１００には、折癖が付けられていない。したがって、直線スリーブの各端部内に架線１００の芯線１０２を容易に挿入することができる。
【００４６】
そして、直線スリーブを圧縮することによって両芯線１０２が接続される。需要家に影響がないように停電しているため、直線スリーブの圧縮作業に時間を要しても、不都合はない。
【００４７】
なお、本発明は、上記実施の形態に限定することなく、種々変更することができる。例えば、上記実施の形態における架線端部接続器具は、クランプ部材１０が一対の挟持片と結合部材１２とを備えたものとした。しかし、把持部１１は、スリット１２ａを有する筒状とし、スリット１２ａを形成したエッジから突出部を突出し、この突出部をボルト１３ｃによって締結するようにしてもよい。
【００４８】
この場合の一方の突出部には、ボルト１３ｃが挿通する貫通孔が形成され、他方の突出部には、雌ネジが形成されていてもよい。あるいは、締付部材１３は、両突出部を挟むクリップとしてもよいし、嵌合突起と嵌合孔とによって構成してもよい。
【００４９】
また、上記実施の形態では、カバー３０として、引留クランプを覆う汎用のカバー３０を転用した。しかし、カバー３０は、架線１００と連結部材２０をそれぞれ導出させる開口部を有しているものであれば、各種の汎用品を使用することができ、さらに、この架線端部接続器具専用のカバー３０を製作してもよい。
【００５０】
また、上記実施の形態では、第１挟持片１１ａと第２挟持片１１ｂの外形はテーパ状とされた。しかし、第１挟持片１１ａと第２共持片の外形は、全長にわたって、同じ外径としてもよい。この場合は、連結部材２０は、両端部２２を屈曲させず、全長にわたって直線状とされる。
【００５１】
また、上記実施の形態では、把持部１１の中心軸が同心で向き合うことで、クランプ部材１０に保持された架線の芯線１０２が向き合うようにした。しかし、切断した架線１００の状況などに応じて、クランプ部材１０は同心で向き合わない、すなわち、一方のクランプ部材１０が連結部材２０の一方（例えば上側や左側）に連結され、他方のクランプ部材１０が連結部材２０の他方（例えば下側や右側）に連結されてもよい。
【００５２】
また、上記実施の形態では、連結部材２０がクランプ部材１０の向きと平行となるようにすることで、架線１００に折癖が付かないようにした。しかし、架線１００を張り替える場合など、架線１００に折癖が付いてもよい場合は、連結部材２０の向きをクランプ部材１０の向きと平行にしなくてもよい。
【符号の説明】
【００５３】
１０………クランプ部材
１１………把持部
１１ａ……第１挟持片
１１ｂ……第２挟持片
１２………結合部材
１２ａ……スリット
１３………締付部材
２０………連結部材
３０………カバー
１００……架線
１１０……端部
【図１】
2014207825.tif 000003
【図２】
2014207825.tif 000004
【図３】
2014207825.tif 000005